(57)【要約】【課題】操作手順を簡略化し、不慣れな利用者にとって操作性が高い映像表示装置の提供を図る。【解決手段】映像表示装置１は、複数の入力端子１１にアナログ信号がそれぞれ入力される。端子選択部１８はいずれかの入力端子を選択する。映像処理部１２は、各アナログ信号に含まれるアナログ映像信号のＬＩＮＥ２１データをそれぞれ検出する。ＬＩＮＥ２１データから表示命令情報と機器情報が検出されたアナログ映像信号は、「強制表示モード」というキャラクタデータを重畳し、出力装置の機器情報の所定のキャラクタデータを重畳し、この機器情報に対応する最適な表示態様で映像コンテンツをディスプレイ部１３に表示させる。このアナログ映像信号が途切れると、他のアナログ映像信号を選択してディスプレイ部１３に表示させる。【選択図】図１
2007318659.tif 000002
【特許請求の範囲】
【請求項１】
アナログ映像信号が入力される複数の入力端子と、いずれかの入力端子を選択する端子選択部と、前記端子選択部が選択した入力端子のアナログ映像信号に基づく映像をディスプレイに表示させる映像処理部と、を有する映像表示装置において、
前記アナログ映像信号のＬＩＮＥ２１データから表示命令情報を検出する表示命令検出手段と、前記表示命令情報が検出されたアナログ映像信号のＬＩＮＥ２１データから、該アナログ映像信号を出力した出力装置の機器情報を検出する機器情報検出手段と、前記機器情報ごとに設定される表示態様を予め記憶する表示態様記憶手段と、を有し、
前記端子選択部は、前記表示命令検出手段により表示命令情報が検出された入力端子を選択し、
前記映像処理部は、表示命令検出手段により検出された前記表示命令情報に対応するキャラクタと、前記機器情報検出手段により検出された前記機器情報に対応するキャラクタとを、前記表示命令情報が検出されたアナログ映像信号に基づく映像に重ね合わせた合成映像を、前記表示態様記憶手段に記憶した前記表示態様でディスプレイに表示させ、
前記端子選択部は、前記表示命令情報が検出された入力端子におけるアナログ映像信号の入力が途切れると、他の入力端子に選択を切り換える映像表示装置。
【請求項２】
アナログ映像信号が入力される複数の入力端子と、いずれかの入力端子を選択する端子選択部と、前記端子選択部が選択した入力端子のアナログ映像信号に基づく映像をディスプレイに表示させる映像処理部と、を有する映像表示装置において、
前記アナログ映像信号のＬＩＮＥ２１データから表示命令情報を検出する表示命令検出手段を有し、前記端子選択部は、前記表示命令検出手段により表示命令情報が検出された入力端子を選択する映像表示装置。
【請求項３】
前記端子選択部は、前記表示命令情報が検出された入力端子におけるアナログ映像信号の入力が途切れると、他の入力端子に選択を切り換える請求項２に記載の映像表示装置。
【請求項４】
前記映像処理部は、前記表示命令情報が検出されたアナログ映像信号に基づく映像に前記表示命令情報に対応するキャラクタを重ね合わせた合成映像をディスプレイに表示させる請求項２または３に記載の映像表示装置。
【請求項５】
前記表示命令情報が検出されたアナログ映像信号のＬＩＮＥ２１データから、該アナログ映像信号を出力した出力装置の機器情報を検出する機器情報検出手段を有し、
前記映像処理部は、前記機器情報検出手段で検出した前記機器情報に対応するキャラクタを前記表示命令情報が検出されたアナログ映像信号に基づく映像に重ね合わせた合成映像をディスプレイに表示させる請求項２〜４のいずれかに記載の映像表示装置。
【請求項６】
前記機器情報ごとに設定される表示態様を予め記憶する表示態様記憶手段を有し、
前記映像処理部は、検出した機器情報に対応する前記表示態様でアナログ映像信号に基づく映像をディスプレイに表示させる請求項５に記載の映像表示装置。
【発明の詳細な説明】
【技術分野】
【０００１】
本発明は、入力されたアナログ映像信号に基づいた映像をディスプレイ部に表示する映像表示装置に関するものである。
【背景技術】
【０００２】
現在、一般家庭に対して多種類のメディア、例えば、地上波放送、ＣＳ（通信衛星）放送、ＣＡＴＶ放送（ケーブルテレビ放送）などから映像配信がなされており、それらのデコーダやセットトップボックス（ＳＴＢ）などの映像出力装置を持つ家庭が増えている。また、上記の映像出力装置以外にも、多種類のＡＶ機器、例えばＤＶＤ（デジタルバーサタイルディスク）再生機、ゲーム機、ビデオ録画機などの映像出力装置を持つことも増えている。
【０００３】
従来の映像表示装置は、複数の映像出力装置からのアナログ映像信号がそれぞれ入力端子に入力され、利用者により選択されたチャンネルに対応するアナログ映像信号の映像をディスプレイ部に表示するものであった。
【０００４】
また、ディスプレイ部に映像を表示する際に、利用者の選択したチャンネル番号やチャンネル名などに関するキャラクタを映像に重ね合わせた合成映像を、オンスクリーンディスプレイ（ＯＳＤ）機能を用いて生成して、映像表示装置のチャンネル選択状態をディスプレイ部に表示することがあった。
【０００５】
また、ディスプレイ部に映像を表示する際に、映像出力装置の動作状態、例えばＣＡＴＶなどスクランブルが重畳された映像コンテンツのデコーダにあってはスクランブル解除の可否などに関するキャラクタを、オンスクリーンディスプレイ（ＯＳＤ）機能を用いて生成して、映像出力装置の動作状態をディスプレイ部に表示することがあった。
【０００６】
例えば特許文献１では、映像出力装置の出力するアナログ映像信号のＬＩＮＥ２１に、映像出力装置の動作状態に関する情報を重畳する。そして、映像表示装置のＯＳＤ機能を用いて、映像出力装置の動作状態を表すキャラクタを映像に重ね合わせて合成映像を生成し、映像出力装置の動作状態をディスプレイ部に表示していた。なお、ＬＩＮＥ２１は、一般には、クローズドキャプションと呼ばれる字幕用のキャラクタが重畳されるＴＶなどのアナログ映像信号の垂直ブランキング期間のことである。
【０００７】
このようにＯＳＤ機能を用いて、映像出力装置の状態に関するキャラクタを映像に重ね合わせた合成映像を生成し、ディスプレイ部にＯＳＤ表示することで、特許文献１は、利用者が映像出力装置の状態を把握することを可能にしていた。
【特許文献１】特開平８−１９０５９号公報
【発明の開示】
【発明が解決しようとする課題】
【０００８】
従来の映像表示装置は、利用者のチャンネル選択によりチャンネルを切り換え、各チャンネルの映像をディスプレイ部に表示していた。例えば、ＤＶＤコンテンツを利用する場合には、利用者は、まず入力端子に接続したＤＶＤ再生機を起動し、映像表示装置のチャンネルとしてＤＶＤ再生機が接続された入力端子に対応するものを選択し、ＤＶＤメディアをＤＶＤ再生機に装荷し、ＤＶＤ再生機の再生ボタンを押下する、といった一連の操作手順が必要であった。
【０００９】
このような多種に亘る操作は、映像表示装置と映像出力装置の操作に習熟した利用者であれば容易だが、操作に不慣れな利用者には煩雑であり、操作手順を誤ることが多かった。特に、映像表示装置でのチャンネル選択時に誤ったチャンネルを選択することが多かった。
【００１０】
映像表示装置のチャンネル選択時に、各チャンネルに対応するキャラクタ、例えば「ビデオ１」、「ビデオ２」、「ゲーム」等のキャラクタを映像に重ね合わせた合成映像を生成し、ディスプレイ部にＯＳＤ表示することで、チャンネル選択の誤りを低減できる。しかし、操作に不慣れな利用者の場合、そのようなＯＳＤ表示を見てもチャンネル選択を誤ることがあった。また、特許文献１では映像出力装置の状態に関するキャラクタをディスプレイ部にＯＳＤ表示するが、これは映像表示装置の再生後に動作状態を確認可能にするためであって、チャンネル選択の誤りを低減するためではなかった。このように従来は、不慣れな利用者にとって操作性が高い映像表示装置を提供することができていなかった。
【００１１】
本発明はこのような従来の課題を解決しようとするものであり、操作手順を簡略化でき、利用者のチャンネル選択の誤りを無くすことができる映像表示装置を提供することを目的とする。
【課題を解決するための手段】
【００１２】
本発明の映像表示装置は、前記課題を解決するために以下の構成を備えている。
【００１３】
（１）アナログ映像信号が入力される複数の入力端子と、いずれかの入力端子を選択する端子選択部と、前記端子選択部が選択した入力端子のアナログ映像信号に基づく映像をディスプレイに表示させる映像処理部と、を有する映像表示装置において、前記アナログ映像信号のＬＩＮＥ２１データから表示命令情報を検出する表示命令検出手段を有し、前記端子選択部は、前記表示命令検出手段により表示命令情報が検出された入力端子を選択するものである。
【００１４】
この構成では、表示命令情報が検出されたアナログ映像信号に関しては、利用者のチャンネル選択の操作を必要とせずに、自動的にチャンネルを切り換えて該アナログ映像信号に基づく映像を表示することが可能になる。したがって、映像出力機器の出力する映像コンテンツを表示するための操作手順が簡略化でき、習熟度の低い利用者による映像表示装置のチャンネル選択のミスを無くすことができる。
【００１５】
（２）前記端子選択部は、前記表示命令情報が検出された入力端子におけるアナログ映像信号の入力が途切れると、他の入力端子に選択を切り換える。
【００１６】
この構成では、この表示命令情報が検出されたアナログ映像信号の再生時だけでなく、その再生終了時などアナログ映像信号が途切れた場合にも、特定の操作の必要を無くして、速やかに他の映像を表示できる。
【００１７】
（３）前記映像処理部は、前記表示命令情報が検出されたアナログ映像信号に基づく映像に前記表示命令情報に対応するキャラクタを重ね合わせた合成映像をディスプレイに表示させる。
【００１８】
この構成では、入力される表示命令情報を検出することで、その表示命令情報に対応したキャラクタデータ、例えば「強制表示モード」などのキャラクタデータをＯＳＤ機能により、映像コンテンツに重畳し、ディスプレイ部にＯＳＤ表示する。
【００１９】
（４）前記表示命令情報が検出されたアナログ映像信号のＬＩＮＥ２１データから、該アナログ映像信号を出力した出力装置の機器情報を検出する機器情報検出手段を有し、前記映像処理部は、前記機器情報検出手段で検出した前記機器情報に対応するキャラクタを前記表示命令情報が検出されたアナログ映像信号に基づく映像に重ね合わせた合成映像をディスプレイに表示させる。
【００２０】
この構成では、映像出力装置がアナログ映像信号のＬＩＮＥ２１データとして、出力装置の機器情報を出力する。そして、映像表示装置がその機器情報を検出することで、その機器情報に対応したキャラクタデータ、例えば装置名、出力端子名、映像コンテンツ名などのキャラクタデータをＯＳＤ機能により、映像コンテンツに重畳し、ディスプレイ部にＯＳＤ表示させる。
【００２１】
（５）前記機器情報ごとに設定される表示態様を予め記憶する表示態様記憶手段を有し、
前記映像処理部は、検出した機器情報に対応する前記表示態様でアナログ映像信号に基づく映像をディスプレイに表示させる。
【００２２】
この構成により、表示態様、例えば明度調整、コントラスト調整、画面レイアウト、音声モードなどについて、利用者の設定操作を必要とせずに、自動的に表示態様を設定して映像コンテンツをディスプレイ部に表示する。
【発明の効果】
【００２３】
この発明によれば、利用者の操作を簡略化し、装置操作に関する習熟度の低い利用者による映像表示装置のチャンネル選択のミスを無くした映像表示装置を提供できる。
【発明を実施するための最良の形態】
【００２４】
以下、本発明の実施形態について説明する。
図１は、映像出力装置と映像表示装置の概略構成を示すブロック図である。映像表示装置１としては、ここではアンテナ３から地上波アナログ放送を受信するテレビジョン受像機を用いる例を示している。また、映像出力装置としては、ＤＶＤ再生機やＣＡＴＶデコーダ、ＣＳデコーダなどを用いることができるが、ここではＤＶＤ再生機２を用いる例を示している。
【００２５】
まず、映像表示装置１の構成と基本動作についての説明を行う。
【００２６】
映像表示装置１は、入力端子１１Ａ〜１１Ｃ、映像処理部１２、ディスプレイ部１３、制御部１４、リモコン受信部１５、操作部１６、機器情報テーブル１７、および端子選択部１８を備えている。
【００２７】
入力端子１１Ｃには、アンテナ３で受信するアナログ地上波放送のＲＦ信号が入力される。また、入力端子１１Ａには、ＤＶＤ再生機２が出力するアナログ映像信号が入力される。また、入力端子１１Ｂには、接続される外部装置（他の映像出力装置）が出力するアナログ映像信号が入力される。なお、ここで入力端子１１Ｃは、地上波放送のアナログ映像信号に音声信号を多重化したＲＦ信号が入力されるアンテナ入力端子である。また、入力端子１１Ａ，１１Ｂは、それぞれ音声信号を含まないアナログ映像信号が入力されるアナログ端子であり、音声信号は別端子（不図示）に接続、入力される。なお、この別端子に入力された音声信号は音声処理部（不図示）を介してスピーカ(不図示)から放音する。
【００２８】
端子選択部１８は、制御部１４からチャンネル制御を受ける。チャンネル制御に従い各入力端子１１Ａ〜１１Ｃから一つを選択して、その入力端子に入力されるアナログ映像信号を映像処理部１２に出力する。
【００２９】
映像処理部１２は入力されるアナログ映像信号に含まれる映像コンテンツをディスプレイ部１３に映像表示できるように処理する。なお、入力される信号がアンテナ３で受信したアナログ地上波放送のＲＦ信号の場合には、所定の周波数を選択し、その周波数のＲＦ信号から音声信号とアナログ映像信号を分離するアナログ地上波放送のチューナ機能を備える。このチューナ機能により分離した音声信号は図示しない音声処理部に出力する。
【００３０】
また、映像処理部１２はＯＳＤ制御手段を有し、入力されるアナログ映像信号のＬＩＮＥ２１からクローズドキャプション用のキャラクタデータが検出された場合に、そのキャラクタデータを映像コンテンツに合成（ＯＳＤ処理）する。ＯＳＤ処理された映像コンテンツは、ディスプレイ部１３に出力する。ディスプレイ部１３は、映像処理部１２から入力された映像コンテンツを表示する。なお、このＯＳＤ制御手段は利用者の操作によりチャンネルの切り替えが行われた場合に、そのチャンネルに対応したキャラクタを映像に重ね合わせた合成映像を生成し、ディスプレイ部１３に出力する。
【００３１】
リモコン受信部１５は、リモコンから赤外線または電波で送信されてきたチャンネル切換信号等の制御信号を受信して制御部１４に出力する。また、操作部１６は、チャンネルの切り換え操作を行うためのアップダウンキー等の複数の操作キーを備えており、操作キーの操作に応じて、リモコン受信部１５と同様にチャンネル切換信号等の制御信号を制御部１４に出力する。制御部１４は、端子選択部１８の動作を制御する。リモコン受信部１５または操作部１６から入力されるチャンネル切換信号等の制御信号に従って、利用者の指示するチャンネルに対応する入力端子を端子選択部１８に選択させる。
【００３２】
また、機器情報テーブル１７は、機器情報符号と、それらの機器情報符号に対応するキャラクタデータと、それらの機器情報符号に対応する表示態様とを予め記憶している。この機器情報テーブル１７については後述する。
【００３３】
次に、ＤＶＤ再生機２の構成と基本動作について説明する。
【００３４】
ＤＶＤ再生機２は、出力端子２１Ａ，２１Ｂ、ディスク駆動モータ２６、ピックアップ２５、映像処理部２２、サーボコントローラ２３、制御部２４を備えている。
【００３５】
この装置本体には、映像コンテンツが記録されたＤＶＤディスク（不図示）がセットされる。制御部２４は、装置本体の動作を制御する。ディスク駆動モータ２６は、サーボコントローラ２３の制御に従い、ＤＶＤディスク（不図示）を回転駆動させる。また、ピックアップ２５は、サーボコントローラ２３の制御に従い位置制御される。このピックアップ２５は、制御された位置から光ディスクのデータ記録面に対してレーザ照射を行い、記録面に記録されたデータを読み出す。映像処理部２２は、ＤＶＤディスクから読み出した読取信号から映像コンテンツおよび音声コンテンツ、クローズドキャプション用の字幕コンテンツを抽出する。この映像コンテンツおよび字幕コンテンツはアナログ映像信号に変換する。字幕コンテンツはアナログ映像信号の垂直ブランキング期間のＬＩＮＥ２１に重畳し、映像コンテンツはアナログ映像信号の映像表示期間に重畳する。このように映像処理部２２で変換されたアナログ映像信号は出力端子２１Ｂを介して映像表示装置１の入力端子１１Ａに出力する。また、出力端子２１Ａにはアナログ映像信号の入力を受ける装置（不図示）を接続する。また、音声信号は図示しない別端子から映像表示装置１に出力する。
【００３６】
以上の映像表示装置１とＤＶＤ再生機２とにより、映像表示装置１にはＤＶＤ再生機２からＤＶＤコンテンツのアナログ映像信号が入力される。したがって、映像表示装置１において、入力端子１１Ａに対応したチャンネルが選択されることにより、ディスプレイ部１３には、ＤＶＤメディアの映像コンテンツと字幕コンテンツが表示されることになる。
【００３７】
なお、ＤＶＤ再生機２は、ＤＶＤメディアからの読取信号より、映像コンテンツおよび音声コンテンツ、クローズドキャプション用の字幕コンテンツを抽出するが、ＤＶＤメディアの字幕コンテンツは常に存在するわけではない。
【００３８】
そこで本実施形態においては、映像処理部２２により字幕コンテンツが存在しない読出初期、または読取後一定時間が経過するたびに、アナログ映像信号の垂直ブランキング期間のＬＩＮＥ２１に表示命令符号と機器情報符号とを重畳する。なお、機器情報符号は、ＤＶＤ再生機２に固有の符号、または、出力端子２１Ｂに固有の符号、映像コンテンツに固有の符号などの識別符号である。
【００３９】
ここで、ＤＶＤメディアからの読取信号に字幕コンテンツが存在しない読出初期から一定期間、アナログ映像信号に表示命令符号と機器情報符号を重畳する場合の処理フローを図２に基づいて説明する。ＤＶＤ再生機２の映像処理部２２は、映像コンテンツの読出初期か否かの判断を行う（Ｓ１）。読出初期であれば、アナログ映像信号の抽出を行う（Ｓ２）。次にアナログ映像信号のＬＩＮＥ２１に表示命令符号と映像信号符号を重畳する（Ｓ４）。そして、アナログ映像信号を出力端子から映像表示装置１に出力する（Ｓ５）。
【００４０】
また、ＤＶＤメディアからの映像コンテンツの読出初期から所定の時間が経過するたびに、アナログ映像信号に表示命令符号と映像信号符号を重畳する場合の処理フローを図３に基づいて説明する。ＤＶＤ再生機２の映像処理部２２は、映像コンテンツの読出初期から一定時間が経過したか否かの判断を行う（Ｓ１１）。経過していれば、アナログ映像信号の抽出を行う（Ｓ１６）。次に、アナログ映像信号のＬＩＮＥ２１に字幕コンテンツがあれば、読み出してバッファ処理する（Ｓ１７）。一方、アナログ映像信号のＬＩＮＥ２１に、新たに表示命令符号と映像信号符号を重畳する（Ｓ１８）。そして、アナログ映像信号を出力端子から映像表示装置１に出力する（Ｓ１９）。
【００４１】
また、一定時間が経過していなければ、アナログ映像信号の抽出を行う（Ｓ１２）。次に、アナログ映像信号のＬＩＮＥ２１に字幕コンテンツがあれば、読み出してバッファ処理する（Ｓ１３）。次に、以前に読み出しており、まだ出力していない字幕コンテンツをバッファの先頭から読み出す（Ｓ１４）。そして、この字幕コンテンツをアナログ映像信号のＬＩＮＥ２１に重畳する（Ｓ１５）。そして、アナログ映像信号を出力端子から映像表示装置１に出力する（Ｓ１９）。
【００４２】
一方、映像表示装置１では、各入力端子のアナログ映像信号に表示命令符号と機器情報符号が含まれるか否かの検出を行う。そのため、映像表示装置１の制御部１４にはチャンネル走査手段を設けていて、映像処理部１２には表示命令検出手段と機器情報検出手段とを設けている。
【００４３】
図４に、映像表示装置１がアナログ映像信号から表示命令符号と機器情報符号とを検出する場合の処理フローを示す。具体的には、利用者がＤＶＤ再生機２に再生操作を行った後、映像表示装置１に対して特定の操作を行うことで、制御部１４が端子選択部１８に全ての入力端子１１Ａ〜１１Ｃの走査を行わせる（Ｓ２１）。その際、映像処理部１２が各アナログ映像信号のＬＩＮＥ２１から表示命令情報の検出を行う（Ｓ２２）。映像処理部１２は表示命令符号が検出されたアナログ映像信号があれば、その入力端子の番号を制御部に伝え、制御部１４はその入力端子を選択するよう前記端子選択部１８を制御する（Ｓ２４）。また、その際、機器情報符号の検出も行い（Ｓ２５）、アナログ映像信号のＬＩＮＥ２１から検出した機器情報符号と、機器情報テーブルに記憶しておいた機器情報符号とが一致する場合に、その機器情報符号に対応する表示態様（例えば明度調整、コントラスト調整、画面レイアウト）とを読み出し、映像の表示を設定する（Ｓ２６）。また、機器情報符号に対応するキャラクタデータ（例えば、装置名、出力端子名、映像コンテンツ名）を機器情報テーブル１７から読み出し（Ｓ２７）、次に、そのキャラクタデータと「強制表示モード」というキャラクタデータとを、映像に重ねあわせるＯＳＤ処理を行う（Ｓ２８）。したがって、ディスプレイ部１３には、表示命令符号が検出された映像出力装置からの映像コンテンツと機器情報符号に対応するキャラクタデータが表示される。
【００４４】
以上の処理により、表示命令情報が検出されたアナログ信号に関しては、利用者のチャンネル選択の操作を省力化して、自動的にチャンネルを選択して該アナログ映像信号を表示する（以下、このような処理によりチャンネルが選択された状態を強制表示モードという。）ことが可能になる。したがって、映像出力機器の出力する映像コンテンツを表示するための操作手順が簡略化でき、習熟度の低い利用者による映像表示装置のチャンネル選択のミスを無くすことができる。
【００４５】
なお、強制表示モード時に、チャンネル走査に関する特定の利用者の操作が再び行われた場合、新たに表示命令符号が入力された入力端子を選択するほうが望ましい。したがって映像処理部や制御部に強制表示モードしている入力端子を記憶するよう構成し、その強制表示モードの入力端子とともに別の入力端子からも表示命令符号が検出されると、新たに表示命令符号が検出された入力端子を強制表示モードに設定し直すと好適である。
【００４６】
また、複数の入力端子から同時に表示命令符号が検出され始める場合には、いずれか一方の入力端子を強制表示モードに設定してもよく、また、強制表示モードの設定をせずに、事前のチャンネル設定を維持するようにしてもよい。複数の入力端子から同時に表示命令符号が検出され始めるような利用者の操作（例えばＤＶＤ再生とゲーム開始の同時操作など）は一般に行われ難いからである。
【００４７】
また、上記したフローでは、利用者の特定の操作によりチャンネル走査を行う例を示したが、チャンネル走査の実行タイミングはこれに限らず、どのようなタイミングであっても良い。例えば、所定の時間経過ごとに自動実行してもよい。その場合、ＤＶＤ再生機からも表示命令符号を周期的に出力するようにし、ＤＶＤ再生機が出力を行う周期よりも、映像表示装置がチャンネル走査を行う時間を長くすることで実現できる。
【００４８】
また、チャンネル走査の自動実行タイミングを、何らかのアナログ映像信号がいずれかの入力端子に入力されたときとしてもよい。その場合には、各入力端子それぞれにアナログ映像信号の検出回路を設けておけばよい。
【００４９】
また、複数の映像処理回路を設け、少なくとも一つを表示命令情報の検出用として用いて常にチャンネル走査をしておけば、どのようなタイミングで表示命令情報が入力されても速やかに表示するチャンネルを変更できる。
【００５０】
次に、表示命令情報を検出することで選択されていたアナログ映像信号が途切れると、他のアナログ映像信号を選択する場合の処理フローを図５に基づいて説明する。映像表示装置１の映像処理部１２は、現在、強制表示モードの状態か否かを検出する（Ｓ３１）。強制表示モードの場合には、その表示しているチャンネルの映像コンテンツの検出を行う（Ｓ３２）。映像コンテンツが検出されない場合には、表示チャンネルを予め設定されるチャンネル（例えば、アナログ地上波放送のチャンネル）に変更し、強制表示モードを終了する（Ｓ３３）。映像コンテンツが検出された場合には、そのまま、強請表示モードを維持する。したがって、再生終了時などアナログ映像信号が途切れた場合にも、利用者の特定の操作の必要を無くして、速やかに他の映像コンテンツを映像表示できる。
【図面の簡単な説明】
【００５１】
【図１】実施形態の映像表示装置と、接続する映像出力装置の概略構成を示すブロック図である。
【図２】映像出力装置の処理フローの第１例を示す図である。
【図３】映像出力装置の処理フローの第２例を示す図である。
【図４】映像表示装置の表示開始時の処理フローを示す図である。
【図５】映像表示装置の表示終了時の処理フローを示す図である。
【符号の説明】
【００５２】
１−映像表示装置
２−ＤＶＤ再生機
３−アンテナ
１１Ａ，１１Ｂ，１１Ｃ−入力端子
１２−映像処理部
１３−ディスプレイ部
１４−制御部
１５−リモコン受信部
１６−操作部
１７−機器情報テーブル
１８−端子選択部
２１Ａ，２１Ｂ−出力端子
２２−映像処理部
２３−サーボコントローラ
２４−制御部
２５−ピックアップ
２６−ディスク駆動モータ
【図１】
2007318659.tif 000003
【図２】
2007318659.tif 000004
【図３】
2007318659.tif 000005
【図４】
2007318659.tif 000006
【図５】
2007318659.tif 000007